(57)【要約】【課題】外観の見栄えを損なうことがなく作業も可能な物入れスペースを有した塵芥収集車を得る。【解決手段】塵芥収集車１００は、塵芥収容箱２０の前部に向かって突出するように延設された一対の側板２２と、一対の側板２２の上端間に架設された天板２３と、一対の側板２２の車両前部側の途中に設けられた前壁２４と、を備えている。塵芥収容箱２０は、塵芥収容部の内部に設けられたスライド式の排出板を備えている。物入れ部４０は、一対の側板２２の突出側（車両前部側）の端部に設けられた先端壁４１を備えている。この先端壁４１は、一対の側板２２及び前壁２４とともに、車台１０上においてダンボールなどを載置可能な物入れスペース（物入れ部４０内部）を形成している。前壁２４は、物入れ部４０側に設けられた油圧バルブを覆うカバー１２７を備えている。【選択図】図５
2018140879.tif 000002
【特許請求の範囲】
【請求項１】
車台上に搭載された塵芥収容箱の後方開口部に、塵芥が投入される塵芥投入箱が設けられており、塵芥投入箱に設けられた塵芥積込装置によって、塵芥投入箱内に投入された塵芥が塵芥収容箱内に積み込まれるようになった塵芥収集車であって、
前記塵芥収容箱が、
前記車台上において車両幅方向に対向して設けられた一対の側板と、
前記一対の側板の下端を支持している床板と、
前記一対の側板及び前記床板の先端に設けられた先端壁と、
前記塵芥収容箱内を車両前後方向に仕切るように設けられた前壁と、
前記一対の側板の上端間のうち少なくとも前記後方開口部から前記前壁まで架設された天板と、
を備えているとともに、
前記前壁の車両前部側において、少なくとも前記側板、前記床板、前記先端壁、及び前記前壁によって包囲形成され、物入れが可能な物入れ部と、
前記前壁の車両後部側において、前記側板、前記床板、前記天板、及び前記前壁によって包囲形成され、塵芥を収容可能な塵芥収容部と、
を備え、
前記塵芥収容箱が、前記塵芥収容部の内部に設けられたスライド式の排出板を備え、
前記前壁が、前記物入れ部側に設けられた油圧バルブを覆うカバーを備え、
前記物入れ部が、前記一対の側板の少なくとも一方に扉を備えていることを特徴とする塵芥収集車。
【請求項２】
前記物入れ部の上部が開口しており、
前記前壁に、
補強材と、
前記塵芥収容部内部と通じる開口部と、
前記開口部を閉塞可能であり、開閉自在に取り付けられた防臭扉と、
が設けられていることを特徴とする請求項１記載の塵芥収集車。
【発明の詳細な説明】
【技術分野】
【０００１】
本発明は、塵芥投入箱内に投入された塵芥を塵芥収容箱内に収容して、塵芥を処理する施設にまで搬送する塵芥収集車に関するものである。
【背景技術】
【０００２】
塵芥を収集するために使用される塵芥収集車には、通常、収集された塵芥を収容する塵芥収容箱が車台上に搭載されているとともに、運転席が車台の前部に配置されている。この塵芥収容箱と運転席との間には、塵芥を分別して収集できるように、塵芥収容箱とは別の荷箱が配置搭載されていることがある（例えば、下記特許文献１参照）。
【先行技術文献】
【特許文献】
【０００３】
【特許文献１】特許第２８１２８０９号公報
【発明の開示】
【発明が解決しようとする課題】
【０００４】
しかしながら、上記特許文献の塵芥収集車においては、塵芥収容箱と荷箱とが分離して配置されていることによって、煩雑な印象を与える構成となっており、外観の見栄えを損なってしまうものとなっている。また、上記特許文献の塵芥収集車においては、塵芥収容箱と荷箱との間に隙間があるので、有効活用できていないスペースがあるだけでなく、塵芥収容箱について運転席側からメンテナンスを行うことが困難な構成となっている場合もあった。
【０００５】
本発明は、かかる点に鑑みてなされたものであり、その目的とするところは、外観の見栄えを損なうことなく、従来よりも、限りあるスペースを有効活用でき且つメンテナンス性を向上させた塵芥収集車を得ることにある。
【課題を解決するための手段】
【０００６】
（１）本発明は、車台上に搭載された塵芥収容箱の後方開口部に、塵芥が投入される塵芥投入箱が設けられており、塵芥投入箱に設けられた塵芥積込装置によって、塵芥投入箱内に投入された塵芥が塵芥収容箱内に積み込まれるようになった塵芥収集車であって、前記塵芥収容箱が、前記車台上において車両幅方向に対向して設けられた一対の側板と、前記一対の側板の下端を支持している床板と、前記一対の側板及び前記床板の先端に設けられた先端壁と、前記塵芥収容箱内を前記車台前後方向に仕切るように設けられた前壁と、前記一対の側板の上端間のうち少なくとも前記後方開口部から前記前壁まで架設された天板と、
を備えている。ここで、前記塵芥収容箱は、前記前壁の車両前部側において、少なくとも前記側板、前記床板、前記先端壁、及び前記前壁によって包囲形成され、物入れが可能な物入れ部と、前記前壁の車両後部側において、前記側板、前記床板、前記天板、及び前記前壁によって包囲形成され、塵芥を収容可能な塵芥収容部と、をも備えている。また、前記塵芥収容箱が、前記塵芥収容部の内部に設けられたスライド式の排出板を備え、前記前壁が、前記物入れ部側に設けられた油圧バルブを覆うカバーを備え、前記物入れ部においては、前記一対の側板の少なくとも一方に扉を備えている。
【０００７】
上記（１）の構成によると、塵芥収容部と物入れ部とを一体的に形成しているので、製造しやすい構造であるだけでなく、外観の見栄えを損なうことがなく、引いては、従来よりも美観を向上させたものとすることができる。また、塵芥収容部と物入れ部とを一体的に形成しているので、塵芥収容部と物入れ部との距離を別体とするものに比べて近くできる。その結果として、メンテナンスなどを含めた様々な作業が可能な従来よりも広いスペースを備えた物入れ部とすることができる。また、塵芥収容部と物入れ部とが別体であるものに比べて密閉性を高め、物入れ部に投入する収集物を保護することができる。また、扉が物入れ部に対応する位置の側板に設けられているので、この扉を開くことによって、容易に、例えば、ダンボール、空き瓶、空き缶などの物を、物入れ部外部から内部に投入することが可能である。また、扉の大きさを作業者が出入り可能な大きさに設定することで、車両側方から物入れ部内への作業者の出入りが容易となる。さらに、物入れ部の上部を開口させている場合（物入れ部に天板を設けない場合）には、例えば、ダンボール、空き瓶、空き缶などの物を上部から物入れ部内部に投入することも可能である。また、物入れ部内には、工具、スペアタイヤ、各種制御装置などを設置することも可能である。
【０００８】
（２）  上記（１）の塵芥収集車においては、物入れ部の上部が開口しており、前記前壁に、補強材と、前記塵芥収容部内部と通じる開口部と、前記開口部に取り付けられ、前記開口部を閉塞可能な防臭扉と、が設けられていることが好ましい。
【０００９】
上記（２）の構成によると、塵芥収容部内の臭いが塵芥収容部外へ排出されないように防止することが可能である。また、作業者が塵芥収容部の外（特に、作業者が楽な姿勢で滞在可能な物入れ部）から塵芥収容部内に対して作業を行ったり、作業者が出入り可能に設定された防臭扉であれば塵芥収容部内に入って内部（特に塵芥収容部の前方部）を点検・清掃したりすることも可能である。
【図面の簡単な説明】
【００１０】
【図１】本発明の第１実施形態に係る塵芥収集車の全体を示す側面図である。
【図２】図１の塵芥収集車を上部から見た図である。
【図３】図１のＡ−Ａ断面図である。
【図４】本発明の第２実施形態に係る塵芥収集車の塵芥収容部及び物入れ部を示す側面図である。
【図５】図４のＢ−Ｂ断面図である。
【発明を実施するための形態】
【００１１】
以下、本発明の第１実施形態を図１〜図３に基づいて説明する。
【００１２】
（塵芥収集車の構成）
【００１３】
図１は本発明の実施形態に係る塵芥収集車１００を示したものである。塵芥収集車１００の車台１０上には、後方開口部２１を有するダンプ式の塵芥収容箱２０が搭載されている。この塵芥収容箱２０の後方開口部２１の後面には、塵芥を塵芥収容箱２０に押し込む塵芥積込装置（図示せず）を内部に有した塵芥投入箱３０が、回動軸３１を中心に後方に回動可能に設けられている。
【００１４】
塵芥収容箱２０は、図１〜図３に示すように、車台１０上において車両幅方向に対向して設けられた一対の側板２２と、一対の側板２２の上端間に架設された天板２３と、塵芥収容箱２０内を車両前後方向に仕切る鏡板状の前壁２４と、一対の側板２２及び前壁２４それぞれの下端を支持している床板２５と、を備えている。ここで、一対の側板２２は、塵芥収容箱２０の外側へ膨出するよう弓型に湾曲形成されている膨出部２２ａと、膨出部２２ａの上端において車両前後方向に延設され、外側に突出する形状に形成されている折れ曲がり部２２ｂ（第１の折れ曲がり部）と、膨出部２２ａの下端において車両前後方向に延設され、外側に突出する形状に形成されている折れ曲がり部２２ｃ（第２の折り曲がり部）と、塵芥収容箱２０内部を確認することができるように膨出部２２ａ壁面に設けられた窓部２２ｄと、を備えているものである。なお、一対の側板２２の折れ曲がり部２２ｂと天板２３、及び、一対の側板２２の折れ曲がり部２２ｃと床板２５は、溶接によってそれぞれ接続されており、箱状体である塵芥収容箱２０を形成しやすいものとなっている。
【００１５】
また、図１〜図３に示すように、塵芥収容箱２０は、上述の側板２２、天板２３、前壁２４、床板２５、及び先端壁４１を用いて、物入れ部４０と塵芥収容部５０とを一体形成してなるものでもある。特に、一枚板である床板２５を共通して使用しているので、物入れ部４０と塵芥収容部５０とは、ダンプ時に一体的に回動されるようになっている。以下、物入れ部４０及び塵芥収容部５０の構成について詳述する。
【００１６】
物入れ部４０は、一対の側板２２の車両前方側端部に設けられた鏡板状の先端壁４１を備えている。この先端壁４１は、一対の側板２２、前壁２４、及び床板２５とともに、車台１０上においてダンボールなどを載置可能な物入れスペース（物入れ部４０内部）を形成している。また、物入れ部４０を構成する一対の側板２２の車両前方側の部位（塵芥収容箱２０の前部側面）には、一対の扉４２が設けられている。この一対の扉４２は、図２に示したように（扉４２の二点鎖線の部位参照）、蝶番４２ａを軸として開放することが可能であり、一対の扉４２を開放した場合には、作業者が通り抜けて物入れ部４０内へ入ることができるようになっている。また、一対の扉４２は、図３に示したように、一対の側板２２の形状に倣い、塵芥収容箱２０の外側へ膨出するよう弓型に湾曲形成されている。また、一対の扉４２には、ロック装置４２ｂが設けられており、使用しない場合には扉４２内に格納されているが、ロック装置４２ｂのレバー（図示せず）を引き出すことによりロックが解除され、扉４２を開くことが可能となっている。
【００１７】
塵芥収容部５０は、一対の側板２２の車両前後方向の途中に設けられた鏡板状の前壁２４を備えている。この前壁２４は、一対の側板２２、床板２５及び天板２３とともに、車台１０上において塵芥を収容可能なスペース（塵芥収容部５０内部）を形成している。なお、上記構成の塵芥収容部５０については、車両後方端部に開口部が存在することになるが、この開口部は、塵芥収容箱２０の後方開口部２１に該当する。
【００１８】
（本実施形態に係る塵芥収集車の特徴）
【００１９】
上記構成の塵芥収集車１００では、塵芥収容部５０と物入れ部４０とを一体的に形成しているので、製造しやすい構造であるだけでなく、外観の見栄えを損なうことがなく、引いては、従来よりも美観を向上させたものとすることができる。また、塵芥収容部５０と物入れ部４０とを一体的に形成しているので、塵芥収容部５０と物入れ部４０との距離を別体とするものに比べて近くできる。その結果として、メンテナンスなどを含めた様々な作業が可能な従来よりも広いスペースを備えた物入れ部４０とすることができる。また、塵芥収容部５０と物入れ部４０とが別体であるものに比べて密閉性を高め、物入れ部４０に投入する収集物を保護することができる。また、扉４２が物入れ部４０に対応する位置の側板２２に設けられているので、扉４２を開くことによって、容易に、例えば、ダンボール、空き瓶、空き缶などの物を、物入れ部４０外部から内部に投入することが可能である。また、物入れ部４０内には、工具、スペアタイヤ、各種制御装置などを設置することも可能である。
【００２０】
また、上記構成によれば、扉４２の大きさを作業者が出入り可能な大きさに設定することで、車台１０の側部から物入れ部４０内への作業者の出入りが容易となる。
【００２１】
さらに、上記構成によれば、一対の側板２２及び扉４２を、塵芥収容箱２０の外側へ膨出するよう弓型に湾曲形成しているので、平板状の側板を使用する場合に比べて、側板２２及び扉４２の剛性が向上し、塵芥収容部５０及び物入れ部４０（塵芥収容箱２０）の側壁の剛性が向上する。そのため、剛性向上のために補強材（スチフナ）を中央部に略水平に設けた側板（例えば、特開２００５−３１４０５８号公報の図２における中段ビード３１ｆ、３１ｇを設けた側壁３１ａ、３１ｂなど）と同程度の剛性でありながらも、塵芥収容部５０及び物入れ部４０（塵芥収容箱２０）を軽量化することができる。なお、側板２２はプレス成形によって一体形成することが可能であるため、製造しやすいものとなっている。
【００２２】
次に、本発明の第２実施形態を図４及び図５に基づいて説明する。なお、符号２０〜２３，２５，４０〜４２の部位は、順に、符号１２０〜１２３，１２５，１４０〜１４２の部位とほぼ同様であるため、説明を省略することがある。
【００２３】
（塵芥収集車の構成）
【００２４】
本実施形態の塵芥収集車（全体図は省略）における塵芥収容箱１２０は、主に、（１）鏡板状の前壁２４の代わりに補強材（スチフナ）を設けた前壁１２４を設けている点、（２）ダンプ式とせずに塵芥収容部１６０の内部にスライド式の排出板１５０を設けている排出板式とした点、（３）物入れ部１４０の上部が開口１４３しており、ダンボールなどの塵芥収容部１６０内に投入するには適さないようなものを投入することができるようになっている点で、第１実施形態の塵芥収集車１００と異なっているが、その他の点は作用効果を含めてほぼ同一である。以下、前壁１２４及び排出板１５０を中心に説明する。
【００２５】
前壁１２４は、図５に示すように、塵芥収容部１６０の内部と通じる開口部１２４ａと、開口部１２４ａに取り付けられ、開口部１２４ａを閉塞可能な防臭扉１２６と、物入れ部１４０側に設けられた油圧バルブ等を覆うカバー１２７とを備えている。なお、防臭扉１２６を閉じて、開口部１２４ａを閉塞することで、塵芥収容部１６０内の臭いが外部に漏れることを防止できる。また、防臭扉１２６を開くことで塵芥収容部１６０内に作業者が出入りすることが可能である。
【００２６】
排出板１５０は、塵芥収容部１６０内で車両前後方向に摺動する支持フレーム１５１に支持されている。また、支持フレーム１５１には、伸縮動作により車両前後方向に支持フレーム１５１を移動させる排出シリンダ１５２が設けられている。排出シリンダ１５２は、一端が塵芥収容部１６０の前壁１２４の上部ブラケット１５３において軸支され、他端が支持フレーム１５１に軸支されている。
【００２７】
（本実施形態に係る塵芥収集車の特徴）
【００２８】
本実施形態に係る塵芥収集車においては、第１実施形態と同様の作用効果を得ることができる。また、前壁１２４に防臭扉１２６が設けられているので、閉じることで塵芥収容部１６０内の臭いが外部に漏れることを防いだり、開くことで作業者が塵芥収容部１６０の外（特に、作業者が楽な姿勢で滞在可能な物入れ部１４０）から塵芥収容部１６０内に対して作業を行ったり、作業者が出入り可能に設定された防臭扉１２６であれば塵芥収容部１６０内に入って内部（特に塵芥収容部１６０の前部）を点検・清掃したりすることが可能である。また、物入れ部１４０の上部が開口１４３されているので、臭いがする物を扱っている最中でも、物入れ部１４０内部に臭いが留まらずに外部へと拡散されるので、作業者は作業しやすい。また、物入れ部１４０の上部を開口１４３させている場合には、上部から物入れ部１４０内にダンボール、空き瓶、空き缶などの物を投入することも可能である。
【００２９】
以上、本発明の実施形態について図面に基づいて説明したが、具体的な構成は、これらの実施形態に限定されるものではないと考えられるべきである。本発明の範囲は、上記した実施形態の説明ではなく特許請求の範囲によって示され、さらに特許請求の範囲と均等の意味および範囲内でのすべての変更が含まれる。したがって、本発明は、上記実施形態について、以下のような構成としてもよい。
【００３０】
例えば、上記第１、第２実施形態における先端壁を網目状部材としてもよい。上記第１、第２実施形態における先端壁１４１を網目状部材することによって、軽量化が可能である。また、物を引っ掛けて保持する部材として用いることも可能となる。さらに、臭いがあるものを扱った場合でも、物入れ部１４０内部に臭いが留まらずに、網目状の先端壁から外部へと拡散されるので、作業者は作業しやすい。
【００３１】
また、上記第１実施形態では、塵芥収容箱２０の一対の側板２２は、塵芥収容箱２０の外側へ膨出するよう弓型に湾曲形成されている膨出部２２ａと、膨出部２２ａの上端において車両前後方向に延設され、外側に突出する形状に形成されている折れ曲がり部２２ｂ（第１の折れ曲がり部）と、膨出部２２ａの下端において車両前後方向に延設され、外側に突出する形状に形成されている折れ曲がり部２２ｃ（第２の折り曲がり部）とを有していたが、本発明はこれに限らず、塵芥収容箱の側面を部分的または全体的に平面にしてもよい。
【符号の説明】
【００３２】
１０    車台
２０、１２０    塵芥収容箱
２１、１２１    後方開口部
２２、１２２    側板
２２ｄ    窓部
２３、１２３    天板
２４、１２４    前壁
２５、１２５    床板
３０    塵芥投入箱
３１    回動軸
４０、１４０    物入れ部
４１、１４１    先端壁
４２、１４２    扉
１２６  防臭扉
４２ａ、１４２ａ    蝶番
５０、１６０    塵芥収容部
１００    塵芥収集車
１２４ａ    開口部
１２７    カバー
１５０    排出板
１５１    支持フレーム
１５２    排出シリンダ
１５３    上部ブラケット
【図１】
2018140879.tif 000003
【図２】
2018140879.tif 000004
【図３】
2018140879.tif 000005
【図４】
2018140879.tif 000006
【図５】
2018140879.tif 000007